(57)【特許請求の範囲】
【請求項１】
本体の表面に、画像表示のためのスクリーンパネルが配備されると共に、該スクリーンパネルの外周部を覆う枠状のカバーパネルが配備され、該本体には、音声を骨伝導によって伝えるための骨伝導振動素子が内蔵されている電子機器において、
前記骨伝導振動素子は前記スクリーンパネルの裏面に取り付けられ、該スクリーンパネルの表面の外周部にはカバーパネルの裏面が粘着層によって固定され、該粘着層は、スクリーンパネルの表面の外周部に沿って延びると共に、前記骨伝導振動素子の近傍領域が欠如した欠如部を有し、該粘着層の欠如によってスクリーンパネルの表面とカバーパネルの裏面との間に空隙が形成されていることを特徴とする、骨伝導振動素子を具えた電子機器。
【請求項２】
前記空隙は、骨伝導振動素子の駆動によって振動するスクリーンパネルの表面が前記カバーパネルの内周部の裏面に接触することのない大きさに設定されている請求項１に記載の電子機器。
【請求項３】
前記骨伝導振動素子は、前記スクリーンパネルの画像表示領域の外側に配置されている請求項１又は請求項２に記載の電子機器。
【請求項４】
前記カバーパネルは、前記スクリーンパネルの外周部を覆う枠状の第１パネル部材と、該第１パネル部材の裏面に沿って延びると共に第１パネル部材の内周部の裏面に接着剤によって固定された第２パネル部材とを具え、該第２パネル部材は、第１パネル部材の内周縁よりもスクリーンパネルの中央部側へはみ出た内周部を有し、該内周部の表面には、第１パネル部材の内周部が貼着固定される表面よりも高い立壁部が形成されている、請求項１乃至請求項３の何れかに記載の電子機器。
【請求項５】
前記スクリーンパネルの表面には、前記粘着層が存在する外周領域を除く中央領域に、防汚コートが施されている請求項１乃至請求項４の何れかに記載の電子機器。
【発明の詳細な説明】
【技術分野】
【０００１】
本発明は、音声を骨伝導によって受話者の耳に伝えるための骨伝導振動素子を具えた携帯電話機等の電子機器に関するものである。
【背景技術】
【０００２】
従来、骨伝導振動素子を具えた種々の電子機器が提案されている(特許文献１、２)。
例えば携帯電話機においては、本体の上端部に、骨伝導振動素子によって構成される受話部が配備されると共に、本体の下端部に、マイクロフォンによって構成される送話部が配備され、受話部を耳に押し当てると共に、送話部を口元に近づけることによって、通話が可能となる。
【先行技術文献】
【特許文献】
【０００３】
【特許文献１】特開２００１−３２０７９０号公報
【特許文献２】特開２００３−１４５０４８号公報
【発明の概要】
【発明が解決しようとする課題】
【０００４】
本体の表面に画像表示のためのスクリーンパネルが配備されている携帯電話機において、スクリーンパネルの裏面に骨伝導振動素子を取り付けて受話部を構成することが考えられる。
この様な携帯電話機においては、スクリーンパネルの表面を耳に押し当てることによって、骨伝導による受話が可能となる。
【０００５】
しかしながら、この様な携帯電話機においては、本体の表面にスクリーンパネルの外周部を覆って枠状のカバーパネルが固定されることになるため、該カバーパネルによってスクリーンパネルの振動が抑制されることとなり、骨伝導振動素子による骨伝導の性能が低下する問題があった。
【０００６】
そこで本発明の目的は、骨伝導振動素子を内蔵すると共に、スクリーンパネルの外周部を覆ってカバーパネルが配備されている電子機器において、骨伝導性能の低下を抑制することである。
【課題を解決するための手段】
【０００７】
本発明に係る骨伝導振動素子を具えた電子機器においては、本体(１)の表面に、画像表示のためのスクリーンパネル(２)が配備されると共に、該スクリーンパネル(２)の外周部を覆う枠状のカバーパネル(３)が配備され、該本体(１)には、音声を骨伝導によって伝えるための骨伝導振動素子(７)が内蔵されている。
【０００８】
ここで、前記骨伝導振動素子(７)は前記スクリーンパネル(２)の裏面に取り付けられ、該スクリーンパネル(２)の表面の外周部には、カバーパネル(３)の裏面が粘着層によって固定され、該粘着層は、スクリーンパネル(２)の表面の外周部に沿って延びると共に、前記骨伝導振動素子(７)の近傍領域が欠如した欠如部(61)を有し、該粘着層の欠如によってスクリーンパネル(２)の表面とカバーパネル(３)の裏面との間に空隙Ｇが形成されている。
【０００９】
上記本発明の電子機器によれば、骨伝導振動素子(７)の近傍領域では、スクリーンパネル(２)の外周部にカバーパネル(３)が固定されず、空隙Ｇが形成されているため、該空隙Ｇ内では、骨伝導振動素子(７)の駆動によるスクリーンパネル(２)の振動が自由となり、これによって骨伝導性能の低下が抑制される。
【００１０】
具体的な態様において、前記空隙Ｇは、骨伝導振動素子(７)の駆動によって振動するスクリーンパネル(２)の表面が前記カバーパネル(３)の裏面に接触することのない大きさに設定されている。
【００１１】
又、具体的な態様において、前記カバーパネル(３)は、前記スクリーンパネル(２)の外周部を覆う枠状の第１パネル部材(４)と、該第１パネル部材(４)の裏面に沿って延びると共に第１パネル部材(４)の内周部(40)の裏面に接着剤(60)によって固定された第２パネル部材(５)とを具え、該第２パネル部材(５)は、第１パネル部材(４)の内周縁(41)よりもスクリーンパネル(２)の中央部側へはみ出た内周部(51)を有し、該内周部(51)の表面には、第１パネル部材(４)の内周部(40)が貼着固定される表面(50)よりも高い立壁部(52)が形成されている。
【００１２】
該具体的態様によれば、接着剤(60)によって第１パネル部材(４)に第２パネル部材(５)を固定する際、第２パネル部材(５)の内周部(51)の表面に立壁部(52)が形成されているので、該立壁部(52)によって、接着剤(60)が第２パネル部材(５)の内周部(51)側へ流れ出ることが阻止される。
【００１３】
更に具体的な態様において、前記スクリーンパネル(２)の表面には、前記粘着層が存在する外周領域Ｙを除く中央領域Ｘに、防汚コート(21)が施されている。
【００１４】
該具体的態様によれば、スクリーンパネル(２)の表面の外周領域Ｙには防汚コート(21)が施されていないので、該外周領域に対する粘着層の接着力が大きくなり、該粘着層によってカバーパネル(３)を強固に固定することが出来る。
【発明の効果】
【００１５】
本発明に係る骨伝導振動素子を具えた電子機器によれば、スクリーンパネルの表面にカバーパネルを固定することに起因する骨伝導性能の低下を効果的に抑制することが出来る。
【図面の簡単な説明】
【００１６】
【図１】図１は、本発明の一実施形態である携帯電話機の斜視図である。
【図２】図２は、図１のＡ−Ａ線に沿う拡大断面図である。
【図３】図３は、図１のＢ−Ｂ線に沿う拡大断面図である。
【図４】図４は、スクリーンパネル及び前面カバーパネルの斜視図である。
【図５】図５は、スクリーンパネル及び前面カバーパネルを裏返して示す斜視図である。
【図６】図６は、図４に対応する分解斜視図である。
【図７】図７は、図５に対応する分解斜視図である。
【発明を実施するための形態】
【００１７】
以下、本発明を携帯電話機に実施した形態につき、図面に沿って具体的に説明する。
本発明の一実施形態である携帯電話機は、図１に示す如く扁平直方体状の本体(１)と表示部(20)を具え、該本体(１)の表面には透明なスクリーンパネル(２)が設置され、本体(１)の前面には、スクリーンパネル(２)の外周部を覆う枠状の前面カバーパネル(３)が配備されると共に、本体(１)の背面には、背面カバーパネル(31)が配備され、前面カバーパネル(３)と背面カバーパネル(31)とが互いに接合されている。
尚、前面カバーパネル(３)及び背面カバーパネル(31)は合成樹脂製である。
【００１８】
本体(１)には、図２に示す如く、スクリーンパネル(２)の背面側に、タッチ入力のためのタッチパネル(８)が設置されると共に、該タッチパネル(８)の背面側に、スクリーンパネル(２)に画像を表示するためのディスプレイ(９)が設置され、表示部(20)が構成される。
スクリーンパネル(２)の表面に表示される画像に応じて該画像の表示位置をタッチ操作することにより、該画像に応じた操作信号が生成されることになる。
【００１９】
本体(１)は、防水パッキン(13)を介して互いに接合された合成樹脂製の前面側本体シャーシ(11)と背面側本体シャーシ(12)を具え、防水パッキン(13)によって本体(１)の内部空間に対して防水が図られている。
そして、前面側本体シャーシ(11)の表面には、スクリーンパネル(２)の背面が両面粘着テープ(62)により固定されている。
【００２０】
前面カバーパネル(３)は、図４〜図７に示す様に、スクリーンパネル(２)の外周部を覆う枠状の第１パネル部材(４)と、該第１パネル部材(４)の裏面に沿って延びる第２パネル部材(５)とを具え、図３に示す如く、第１パネル部材(４)の内周部(40)の裏面に接着剤(60)によって第２パネル部材(５)の表面(50)が固定されている。
【００２１】
第２パネル部材(５)は、第１パネル部材(４)の内周縁(41)よりもスクリーンパネル(２)の中央部側へはみ出た内周部(51)を有し、該内周部(51)の表面には、第１パネル部材(４)の内周縁(41)との対向部に、第１パネル部材(４)の内周部(40)が貼着固定される表面(50)よりも高い立壁部(52)が形成されている。
第２パネル部材(５)の内周部(51)の表面に、例えば金属メッキを施すことによって、携帯電話機の外観を見栄えの良いものとすることが出来る。
【００２２】
スクリーンパネル(２)の裏面には、受話音声を骨伝導によって伝えるための骨伝導振動素子(７)が両面粘着テープ(63)によって固定され、これによって受話部が構成されている。骨伝導振動素子(７)は例えば圧電素子によって構成される。
尚、骨伝導振動素子(７)は、図１に示す様に、本体(１)の上部であって、スクリーンパネル(２)の表示部(20)の外側に配置されている。
【００２３】
図２に示す如く、スクリーンパネル(２)の表面の外周領域Ｙには、両面粘着テープ(６)によってカバーパネル(３)の第２パネル部材(５)の裏面が接着固定されている。
両面粘着テープ(６)は、図６及び図７に示す様に、スクリーンパネル(２)の外周部に沿って延びると共に、前記骨伝導振動素子(７)の近傍領域が欠如した欠如部(61)を有しており、該欠如部(61)によって両面粘着テープ(６)が切り離されている。
【００２４】
この骨伝導振動素子(７)の欠如部(61)によって、図３に示す如く骨伝導振動素子(７)の近傍には、スクリーンパネル(２)の表面とカバーパネル(３)の裏面との間に、空隙Ｇが形成されている。
この空隙Ｇは、骨伝導振動素子(７)の駆動によって振動するスクリーンパネル(２)の表面が前面カバーパネル(３)の裏面に接触することのない大きさ、例えば０.２ｍｍ程度に設定されている。
【００２５】
又、スクリーンパネル(２)の表面には、両面粘着テープ(６)が貼着される外周領域Ｙを除く中央領域Ｘに、蒸着によって図２に示す如く防汚コート(21)が施されている。
これによって、スクリーンパネル(２)の表面に汚れが付着することが防止される。
【００２６】
上記携帯電話機において、受話信号に応じて骨伝導振動素子(７)を駆動することにより、スクリーンパネル(２)に振動が発生することになる。そこで、スクリーンパネル(２)の表面を耳に押し当てることにより、スクリーンパネル(２)の振動が耳に伝わって、受話音を聞くことが出来る。
【００２７】
上記携帯電話機によれば、骨伝導振動素子(７)の近傍領域では、スクリーンパネル(２)の外周部にカバーパネル(３)が固定されず、空隙Ｇが形成されているため、該空隙Ｇ内では、骨伝導振動素子(７)の駆動によるスクリーンパネル(２)の振動が自由となり、これによって骨伝導振動素子(７)による骨伝導性能が十分に発揮される。
【００２８】
又、組立工程において、接着剤(60)によって第１パネル部材(４)に第２パネル部材(５)を固定する際、第２パネル部材(５)の内周部(51)の表面に立壁部(52)が形成されているので、該立壁部(52)によって、接着剤(60)が第２パネル部材(５)の内周部(51)側へ流れ出ることが阻止される。
【００２９】
更に又、クリーンパネル(２)の表面の外周領域Ｙには防汚コート(21)が施されていないので、該外周領域に対する両面粘着テープ(６)の接着力が大きくなり、該両面粘着テープ(６)によってカバーパネル(３)を強固に固定することが出来る。
【００３０】
尚、本発明の各部構成は上記実施の形態に限らず、特許請求の範囲に記載の技術的範囲内で種々の変形が可能である。例えば両面粘着テープ(６)によってスクリーンパネル(２)に前面カバーパネル(３)を固定する構成に代えて、接着剤などの粘着層を用いてスクリーンパネル(２)に前面カバーパネル(３)を固定することも可能である。
【００３１】
又、本発明は、携帯電話機に限らず、骨伝導振動素子を具えた種々の電子機器に実施することが出来る。
【符号の説明】
【００３２】
(１)  本体
(２)  スクリーンパネル
(21)  防汚コート
(３)  前面カバーパネル
(４)  第１パネル部材
(40)  内周部
(41)  内周縁
(５)  第２パネル部材
(51)  内周部
(52)  立壁部
(６)  両面粘着テープ
(61)  欠如部
(７)  骨伝導振動素子
【図１】
0005591314.tif 000002
【図２】
0005591314.tif 000003
【図３】
0005591314.tif 000004
【図４】
0005591314.tif 000005
【図５】
0005591314.tif 000006
【図６】
0005591314.tif 000007
【図７】
0005591314.tif 000008